(57)【要約】【課題】ロックアップ制御ソレノイドバルブの高出力化による大型化を防止するものでありながら、１つのロックアップ制御ソレノイドバルブによりロックアップクラッチと摩擦係合要素との係合状態を制御することが可能な自動変速機の油圧制御装置を提供する。【解決手段】油圧制御装置１は、制御圧ＰＳＬＵとして出力し得るリニアソレノイドバルブＳＬＵと、制御圧ＰＳＬＵを遮断する右半位置と制御圧ＰＳＬＵを出力しかつモジュレータ圧ＰＭＯＤを出力する左半位置とに切換えられるソレノイドリレーバルブ２３と、ロックアップ係合圧ＰＬ−ＵＰを供給する左半位置とロックアップ係合圧ＰＬ−ＵＰを遮断する右半位置とに切換えられるロックアップリレーバルブ２１と、を備え、該ロックアップリレーバルブ２１に、ソレノイドリレーバルブ２３が左半位置で出力するモジュレータ圧ＰＭＯＤを入力して右半位置にロックするロック油室２１ｂを設ける。【選択図】図３
2014119016.tif 000002
【特許請求の範囲】
【請求項１】
流体伝動装置をロックアップし得るロックアップクラッチと、変速段を形成する少なくとも１つ以上の摩擦係合要素と、を備えた自動変速機の油圧制御装置において、
ライン圧を所定圧以下に調圧したモジュレータ圧を入力し、前記ロックアップクラッチの係合状態を変更するロックアップ係合圧を調圧する制御圧として出力し得るロックアップ制御ソレノイドバルブと、
信号圧を出力し得る信号ソレノイドバルブと、
前記制御圧及び前記モジュレータ圧が入力されると共に、前記信号圧の入力状態に基づき、前記制御圧の出力を遮断する遮断位置と、前記制御圧を前記摩擦係合要素の油圧サーボの係合圧を制御する係合制御圧として出力し、かつ前記モジュレータ圧を出力する出力位置と、に切換えられる制御圧切換えバルブと、
第１スプールと、該第１スプールを一方側に付勢する第１スプリングと、入力した前記制御圧により該第１スプールを他方側に押圧作用させる第１作動油室と、を有し、前記第１スプールが他方側に位置する際に前記ロックアップ係合圧を前記ロックアップクラッチに供給するロックアップオン位置となり、前記第１スプールが一方側に位置する際に前記ロックアップ係合圧を遮断するロックアップオフ位置となるロックアップ切換えバルブと、を備え、
前記ロックアップ切換えバルブは、前記制御圧切換えバルブが前記出力位置で出力したモジュレータ圧を入力して、前記ロックアップオフ位置にロックする第１ロック油室を有する、
ことを特徴とする自動変速機の油圧制御装置。
【請求項２】
前記摩擦係合要素は、前記自動変速機が最低変速段の状態、ニュートラル状態、後進段の状態の少なくとも１つの状態で係合制御される摩擦係合要素である、
ことを特徴とする請求項１に記載の自動変速機の油圧制御装置。
【請求項３】
前記自動変速機は、前記最低変速段の駆動力出力状態で係合するワンウェイクラッチを備え、
前記摩擦係合要素は、前記最低変速段のエンジンブレーキ時に、前記ロックアップ制御ソレノイドバルブの制御圧に基づき前記係合圧が制御されて係合される摩擦係合要素である、
ことを特徴とする請求項２に記載の自動変速機の油圧制御装置。
【請求項４】
前記信号ソレノイドバルブは、非通電状態で前記信号圧を非出力とするノーマルクローズタイプからなり、
前記制御圧切換えバルブは、前記遮断位置と前記出力位置とに切換えられる第２スプールと、該第２スプールを前記出力位置に付勢する第２スプリングと、前記信号圧を入力した際に該第２スプールを前記遮断位置に押圧作用させる第２作動油室と、を有し、前記信号ソレノイドバルブの非通電状態で、前記モジュレータ圧を、前記ロックアップ切換えバルブの第１ロック油室に供給する、
ことを特徴とする請求項１ないし３のいずれかに記載の自動変速機の油圧制御装置。
【請求項５】
正常時に前記モジュレータ圧を第２ロック油室に入力してロックされる正常位置と、フェール時に変速段を形成する他の摩擦係合要素の油圧サーボの係合圧を出力するフェールセーフ位置と、に切換えられるフェールセーフバルブを備え、
前記制御圧切換えバルブは、前記遮断位置の際に、入力された前記モジュレータ圧を前記フェールセーフバルブの第２ロック油室に出力する、
ことを特徴とする請求項１ないし４のいずれかに記載の自動変速機の油圧制御装置。
【発明の詳細な説明】
【技術分野】
【０００１】
本発明は、例えば車両等に搭載される自動変速機の油圧制御装置に係り、詳しくは、ロックアップクラッチと変速を行う摩擦係合要素とを油圧制御する自動変速機の油圧制御装置に関する。
【背景技術】
【０００２】
近年、車両等に搭載される自動変速機にあって、トルクコンバータ等の流体伝動装置を備えたものにおいては、燃費向上等を目的として流体伝動装置のロックアップを行うロックアップクラッチが備えられているものが主流である。このロックアップクラッチは、係合・解放（ロックアップオン・ロックアップオフ）する場合にショック防止のために急係合や急解放を防ぐ必要があり、ロックアップ係合圧を精度良く調圧するためのリニアソレノイドバルブが設けられている。
【０００３】
このようにロックアップクラッチのロックアップ係合圧を調圧するためのリニアソレノイドバルブを専用で設けることは、リニアソレノイドバルブの本数低減の妨げとなり、油圧制御装置のコンパクト化やコストダウンの妨げとなる。そのため、リニアソレノイドバルブが出力する油圧がロックアップクラッチ完全係合圧以上の所定油圧以上となった際に、そのリニアソレノイドバルブの出力する油圧で他の切換えバルブを切換えできるように構成し、つまり１本のリニアソレノイドバルブの出力油圧で、ロックアップクラッチの係合制御と切換えバルブの切換え制御とを行えるように構成したものが提案されている（特許文献１参照）。
【先行技術文献】
【特許文献】
【０００４】
【特許文献１】特開２０１１−２１４６１６号公報
【発明の概要】
【発明が解決しようとする課題】
【０００５】
上記特許文献１のものは、ロックアップクラッチの係合制御と切換えバルブの切換え制御とを行えるように構成されているが、ロックアップクラッチ完全係合圧以上となった際に切換えバルブの切換え制御を行うように設定しているため、リニアソレノイドバルブの出力としてロックアップクラッチの係合圧調圧に必要とされる出力以上の高出力が求められ、その結果、当該リニアソレノイドバルブの大型化によるコストアップや重量の増加などの問題がある。
【０００６】
また、特許文献１のものにおいて、リニアソレノイドバルブの大型化を防止しようとすると、ロックアップクラッチの係合圧調圧のために使用出来るリニアソレノイドバルブの油圧の調圧領域が狭くなる。その場合、リニアソレノイドバルブの出力（電気的なリニアソレノイドバルブへの指令値）に対するロックアップクラッチの係合圧の感度を高感度にすることが必要となるが、そうするとリニアソレノイドバルブのバラツキによるロックアップクラッチの係合圧のバラツキが大きくなるため、ロックアップクラッチの係合圧の制御性を良好に維持することは難しく、現実的ではない。
【０００７】
そこで本発明は、ロックアップ制御ソレノイドバルブの高出力化による大型化を防止するものでありながら、１つのロックアップ制御ソレノイドバルブによりロックアップクラッチと摩擦係合要素との係合状態を制御することが可能な自動変速機の油圧制御装置を提供することを目的とするものである。
【課題を解決するための手段】
【０００８】
本発明は（例えば図１乃至図３参照）、流体伝動装置（７）をロックアップし得るロックアップクラッチ（８）と、変速段を形成する少なくとも１つ以上の摩擦係合要素（Ｂ−４）と、を備えた自動変速機（２）の油圧制御装置（１）において、
ライン圧（ＰＬ）を所定圧以下に調圧したモジュレータ圧（ＰＭＯＤ）を入力し、前記ロックアップクラッチ（８）の係合状態を変更するロックアップ係合圧（ＰＬ−ＵＰ）を調圧する制御圧（ＰＳＬＵ）として出力し得るロックアップ制御ソレノイドバルブ（ＳＬＵ）と、
信号圧（ＰＳＬ）を出力し得る信号ソレノイドバルブ（ＳＬ）と、
前記制御圧（ＰＳＬＵ）及び前記モジュレータ圧（ＰＭＯＤ）が入力されると共に、前記信号圧（ＰＳＬ）の入力状態に基づき、前記制御圧（ＰＳＬＵ）の出力を遮断する遮断位置（右半位置）と、前記制御圧（ＰＳＬＵ）を前記摩擦係合要素（Ｂ−４）の油圧サーボ（５６）の係合圧（ＰＢ４）を制御する係合制御圧として出力し、かつ前記モジュレータ圧（ＰＭＯＤ）を出力する出力位置（左半位置）と、に切換えられる制御圧切換えバルブ（２３）と、
第１スプール（２１ｐ）と、該第１スプール（２１ｐ）を一方側に付勢する第１スプリング（２１ｓ）と、入力した前記制御圧（ＰＳＬＵ）により該第１スプール（２１ｐ）を他方側に押圧作用させる第１作動油室（２１ａ）と、を有し、前記第１スプール（２１ｐ）が他方側に位置する際に前記ロックアップ係合圧（ＰＬ−ＵＰ）を前記ロックアップクラッチ（８）に供給するロックアップオン位置（左半位置）となり、前記第１スプール（２１ｐ）が一方側に位置する際に前記ロックアップ係合圧（ＰＬ−ＵＰ）を遮断するロックアップオフ位置（右半位置）となるロックアップ切換えバルブ（２１）と、を備え、
前記ロックアップ切換えバルブ（２１）は、前記制御圧切換えバルブ（２３）が前記出力位置（左半位置）で出力したモジュレータ圧（ＰＭＯＤ）を入力して、前記ロックアップオフ位置（右半位置）にロックする第１ロック油室（２１ｂ）を有することを特徴とする。
【０００９】
また、本発明は（例えば図１、図２参照）、前記摩擦係合要素（Ｂ−４）は、前記自動変速機（２）が最低変速段の状態、ニュートラル状態、後進段の状態の少なくとも１つの状態で係合制御される摩擦係合要素であることを特徴とする。
【００１０】
さらに、本発明は（例えば図１、図２参照）、前記自動変速機（２）は、前記最低変速段の駆動力出力状態で係合するワンウェイクラッチ（Ｆ−３）を備え、
前記摩擦係合要素（Ｂ−４）は、前記最低変速段のエンジンブレーキ時に、前記ロックアップ制御ソレノイドバルブ（ＳＬＵ）の制御圧（ＰＳＬＵ）に基づき前記係合圧（ＰＢ４）が制御されて係合される摩擦係合要素であることを特徴とする。
【００１１】
また、本発明は（例えば図３参照）、前記信号ソレノイドバルブ（ＳＬ）は、非通電状態で前記信号圧（ＰＳＬ）を非出力とするノーマルクローズタイプからなり、
前記制御圧切換えバルブ（２３）は、前記遮断位置と前記出力位置とに切換えられる第２スプール（２３ｐ）と、該第２スプール（２３ｐ）を前記出力位置（左半位置）に付勢する第２スプリング（２３ｓ）と、前記信号圧（ＰＳＬ）を入力した際に該第２スプール（２３ｐ）を前記遮断位置（右半位置）に押圧作用させる第２作動油室（２３ａ）と、を有し、前記信号ソレノイドバルブ（ＳＬ）の非通電状態で、前記モジュレータ圧（ＰＭＯＤ）を、前記ロックアップ切換えバルブ（２１）の第１ロック油室（２１ｂ）に供給することを特徴とする。
【００１２】
そして、本発明は（例えば図３参照）、正常時に前記モジュレータ圧（ＰＭＯＤ）を第２ロック油室（３２ｃ）に入力してロックされる正常位置（右半位置）と、フェール時に変速段を形成する他の摩擦係合要素（例えばＣ−１，Ｃ−２）の油圧サーボ（５１，５２）の係合圧（ＰＣ１，ＰＣ２）を出力するフェールセーフ位置（左半位置）と、に切換えられるフェールセーフバルブ（３２）を備え、
前記制御圧切換えバルブ（２３）は、前記遮断位置（右半位置）の際に、入力された前記モジュレータ圧（ＰＭＯＤ）を前記フェールセーフバルブ（３２）の第２ロック油室（３２ｃ）に出力することを特徴とする。
【００１３】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１４】
請求項１に係る本発明によると、ロックアップ切換えバルブが、制御圧切換えバルブが出力位置で出力したモジュレータ圧を入力して、ロックアップオフ位置にロックする第１ロック油室を有しているので、制御圧切換えバルブが出力位置となって制御圧を摩擦係合要素の油圧サーボの係合圧を制御する係合制御圧として出力する状態で、ロックアップ切換えバルブをロックアップオフ位置にロックすることができる。これにより、ロックアップクラッチをオフした状態（ロックアップ係合圧を遮断した状態）で、摩擦係合要素を係合自在に制御することができ、つまりロックアップ制御ソレノイドバルブの高出力化による大型化を防止するものでありながら、ロックアップ制御ソレノイドバルブによってロックアップクラッチと摩擦係合要素との係合状態を個別に制御することを可能とすることができる。
【００１５】
請求項２に係る本発明によると、摩擦係合要素は、最低変速段の状態、ニュートラル状態、後進段の状態の少なくとも１つの状態で係合制御される摩擦係合要素であるので、つまりロックアップクラッチをオフした状態で係合制御される摩擦係合要素であるため、ロックアップ制御ソレノイドバルブによってロックアップクラッチと摩擦係合要素との係合状態を個別に制御することを可能とすることができる。
【００１６】
請求項３に係る本発明によると、摩擦係合要素は、最低変速段のエンジンブレーキ時に、ロックアップ制御ソレノイドバルブの制御圧に基づき係合圧が制御されて係合される摩擦係合要素であるので、つまりロックアップクラッチをオフした状態で係合制御される摩擦係合要素であるため、ロックアップ制御ソレノイドバルブによってロックアップクラッチと摩擦係合要素との係合状態を個別に制御することを可能とすることができる。
【００１７】
請求項４に係る本発明によると、制御圧切換えバルブは、信号ソレノイドバルブの非通電状態でモジュレータ圧をロックアップ切換えバルブの第１ロック油室に供給するので、例えば全てのソレノイドバルブを非通電とするオールオフフェール時にあって、ロックアップクラッチをオフした状態にロックすることができ、例えばロックアップクラッチがオンされたままとなってエンジンをストップさせるようなことを防止することができる。
【００１８】
請求項５に係る本発明によると、制御圧切換えバルブは、遮断位置の際に、入力されたモジュレータ圧をフェールセーフバルブの第２ロック油室に出力するので、制御圧切換えバルブが出力位置の際に出力するモジュレータ圧を、遮断位置で無駄にすることなくフェールセーフバルブに供給することができ、フェールセーフバルブにモジュレータ圧を導く油路を別途に設ける場合に比して、油路構造の簡易化を図ることができる。
【図面の簡単な説明】
【００１９】
【図１】本発明を適用し得る自動変速機を示すスケルトン図。
【図２】本自動変速機の係合表。
【図３】自動変速機の油圧制御装置の一部を示す油圧回路図。
【発明を実施するための形態】
【００２０】
以下、本発明に係る実施の形態を図１乃至図３に沿って説明する。なお、本実施の形態において説明する自動変速機２は、例えばＦＲタイプ（フロントエンジン、リヤドライブ）の車両に搭載して好適な自動変速機であるため、実際の車両搭載状態に基づき、入力側（図１中左方側）を「前方側」、出力側（図１中右方側）を「後方側」として、各部の配置関係を説明する。
【００２１】
［自動変速機の構成］
まず、本発明を適用し得る自動変速機２の概略構成について図１及び図３に沿って説明する。図１に示すように、自動変速機２には、同一軸線上に自動変速機２の入力軸１１、変速機構３の入力軸１２、出力軸１５が、前方側から後方側へ順に並べられている形で備えられている。自動変速機２の入力軸１１は、不図示のエンジンに接続し得るようになっており、該入力軸１１の軸方向を中心として発進装置５と、変速機構３とが備えられている。
【００２２】
図１に示すように、上記発進装置５は、トルクコンバータ（流体伝動装置）７と、それをロックアップし得るロックアップクラッチ８とを備えている。該トルクコンバータ７は、自動変速機２の入力軸１１に接続されたポンプインペラ７ａと、作動流体である油を介して該ポンプインペラ７ａの回転が伝達されるタービンランナ７ｂと、それらの間に配置されると共にワンウェイクラッチ７ｄにより一方向に回転が規制されたステータ７ｃとを有しており、該タービンランナ７ｂは、上記入力軸１１と同軸上に配設された上記変速機構３の入力軸１２に接続されている。
【００２３】
また、図３に示すように、ロックアップクラッチ８は、軸方向に移動自在に配置されたピストン８ａと、該ピストン８ａの外周部に配設された摩擦材８ｂとを備えて構成されている。該ピストン８ａは、油密状の空間５ａと空間５ｂとを仕切る形に配置されており、それら空間５ａと空間５ｂとの差圧により該ピストン８ａが上記フロントカバー５Ａに対して接離されるように移動駆動される。即ち、空間５ｂ側の油圧が高くなると、摩擦材８ｂがフロントカバー５Ａの内側面から離れて解放制御され、空間５ａ側の油圧が高くなると、摩擦材８ｂがフロントカバー５Ａの内側面に押圧されてスリップ制御ないし係合制御され、該ロックアップクラッチ８が係合されるように構成されている。従って、該ロックアップクラッチ８が係合されると、フロントカバー５Ａと変速機構３の入力軸１２とが直接係合され、つまり上記トルクコンバータ７をロックアップした状態となる。
【００２４】
図１に示すように、上記変速機構３には、入力軸１２の軸方向を中心としてケース４に内包されており、前方から順に、第１シングルピニオンプラネタリギヤＳＰ１と、第２及び第３シングルピニオンプラネタリギヤＳＰ２，ＳＰ３からなるプラネタリギヤセットＰＳと、を備えて構成されている。
【００２５】
上記シングルピニオンプラネタリギヤＳＰ１は、第１サンギヤＳ１と、第１リングギヤＲ１と、それら第１サンギヤＳ１及び第１リングギヤＲ１に噛合する第１ピニオンＰ１を回転自在に支持する第１キャリヤＣＲ１と、を有して構成されている。
【００２６】
上記第１サンギヤＳ１は、変速機構３の入力軸１２に常時駆動連結されている。また、第１リングギヤＲ１は、第１ブレーキＢ−１によりケース４に対して係止（固定）自在となっている。そして、上記第１キャリヤＣＲ１は、後述のシングルピニオンプラネタリギヤＳＰ２の第２リングギヤＲ２に駆動連結されていると共に、第２ブレーキＢ−２によりケース４に対して係止（固定）自在となっている。
【００２７】
一方、プラネタリギヤセットＰＳは、いわゆるシンプソンタイプからなり、第２シングルピニオンプラネタリギヤＳＰ２と、第３シングルピニオンプラネタリギヤＳＰ３とを有して構成されている。該第２シングルピニオンプラネタリギヤＳＰ２は、第２サンギヤＳ２と、上記第１キャリヤＣＲ１に駆動連結された第２リングギヤＲ２と、それら第２サンギヤＳ２及び第２リングギヤＲ２に噛合する第２ピニオンＰ２を回転自在に支持する第２キャリヤＣＲ２と、を有して構成されている。
【００２８】
また、該第３シングルピニオンプラネタリギヤＳＰ３は、上記第２サンギヤＳ２に駆動連結された第３サンギヤＳ３と、上記第２キャリヤＣＲ２に駆動連結された第３リングギヤＲ３と、それら第３サンギヤＳ３及び第３リングギヤＲ３に噛合する第３ピニオンＰ３を回転自在に支持する第３キャリヤＣＲ３と、を有して構成されている。
【００２９】
上記プラネタリギヤセットＰＳにおける第２サンギヤＳ２及び第３サンギヤＳ３は、変速機構３の入力軸１２との間に介在された第１クラッチ（他の摩擦係合要素）Ｃ−１に接続されており、つまり第２サンギヤＳ２及び第３サンギヤＳ３には、第１クラッチＣ−１を介して入力軸１２の回転が選択的に入力し得るように構成されている。
【００３０】
上記プラネタリギヤセットＰＳにおける第２キャリヤＣＲ２及び第３リングギヤＲ３は、変速機構３の入力軸１２との間に介在された第２クラッチ（他の摩擦係合要素）Ｃ−２に接続されていると共に、ケース４に対して回転を係止し得る第４ブレーキ（摩擦係合要素）Ｂ−４に接続され、かつケース４に対して回転を一方向に規制するワンウェイクラッチＦ−３に接続されている。つまり第２キャリヤＣＲ２及び第３リングギヤＲ３には、第２クラッチＣ−２を介して入力軸１２の回転が選択的に入力し得ると共に、その回転がワンウェイクラッチＦ−３により不図示のエンジンからの回転方向に対して許容され、かつ逆の回転方向に対して規制（駆動力出力状態で係合）され、更に、その回転が第４ブレーキＢ−４により係止し得るように構成されている。
【００３１】
上記プラネタリギヤセットＰＳにおける第２リングギヤＲ２は、上述した第１キャリヤＣＲ１を介してケース４に対して回転を係止し得る第２ブレーキＢ−２に接続されており、かつ第１リングギヤＲ１は、ケース４に対して回転を係止し得る第１ブレーキＢ−１に接続されており、つまり第２リングギヤＲ２は、第２ブレーキＢ−２を解放して第１ブレーキＢ−１が係止することで、第１キャリヤＣＲ１から減速回転が入力し得ると共に、該第１ブレーキＢ−１を解放して第２ブレーキＢ−２が係止されることで、その回転が係止し得るように構成されている。
【００３２】
そして、上記プラネタリギヤセットＰＳにおける第３キャリヤＣＲ３は、出力軸１５に接続されており、第２サンギヤＳ２及び第３サンギヤＳ３、第２キャリヤＣＲ２及び第３リングギヤＲ３、及び第２リングギヤＲ２の回転状態により定まる回転を、出力軸１５を介して不図示の駆動車輪に出力する。
【００３３】
以上のように構成された自動変速機２は、図１のスケルトンに示す各第１及び第２クラッチＣ−１，Ｃ−２、第１、第２、及び第４ブレーキＢ−１，Ｂ−２，Ｂ−４、ワンウェイクラッチＦ−３が、図２の係合表に示す組み合わせで作動されることにより、前進１速段（１ｓｔ）〜前進６速段（６ｔｈ）、及び後進段（Ｒｅｖ）が達成される。
【００３４】
［油圧制御装置の構成］
ついで、本自動変速機の油圧制御装置の構成について図３に沿って説明する。なお、図３で示した自動変速機２の油圧制御装置１は、本発明の要部となる部分だけを抜き出して示したものであり、実際には、エンジンに連動して駆動されて油圧を発生させるオイルポンプ、該オイルポンプの発生する油圧をライン圧ＰＬに調圧するプライマリレギュレータバルブ、該プライマリレギュレータバルブの排出圧をセカンダリ圧ＰＳＥＣに調圧すると共に、セカンダリ圧の排出としてのセカンダリ排圧ＰＳＥＣ−Ｄを調圧（排出）するセカンダリレギュレータバルブ、該ライン圧を所定圧であるモジュレータ圧ＰＭＯＤに調圧するモジュレータバルブ、などの各種の油圧を生成する油圧生成部分を備えている。
【００３５】
上記ライン圧ＰＬは、油路ａ１，ａ２，ａ３，ａ４，ａ５に供給されており、油路ａ２を介してマニュアルバルブ２５のライン圧入力ポート２５ａと、油路ａ４を介して後述するリニアソレノイドバルブＳＬ４の入力ポートＳＬ４ａと、油路ａ５を介して後述するシーケンスバルブ３２の入力ポート３２ｄと、に供給されている。
【００３６】
マニュアルバルブ２５は、不図示の運転席に配設されたシフトレバーに機械的或いは電気的に接続されて、シフトレバーにより選択されたシフトレンジ（例えばパーキングレンジ、リバースレンジ（後進レンジ）、ニュートラルレンジ、ドライブレンジ（前進レンジ））に合わせて、そのスプール２５ｐが移動駆動するように構成されており、前進レンジでは、ライン圧入力ポート２５ａに入力されているライン圧ＰＬを前進レンジ圧出力ポート２５ｂから前進レンジ圧ＰＤとして油路ｂ１，ｂ２，ｂ３，ｂ４，ｂ５，ｂ６等に出力し、後進レンジでは、ライン圧入力ポート２５ａに入力されているライン圧ＰＬを後進レンジ圧出力ポート２５ｃから油路ｃ１，ｃ２，ｃ３，ｃ４，ｃ５，ｃ６，ｃ７，ｃ８，ｃ９，ｃ１０等に後進レンジ圧ＰＲとして出力する。
【００３７】
また、前進レンジ圧出力ポート２５ｂは、前進レンジ以外の状態では、油路ｂ１，ｂ２，ｂ３，ｂ４，ｂ５，ｂ６等の油圧をドレーン（排出）してライン圧ＰＬを非出力にするように構成されており、同様に、後進レンジ圧出力ポート２５ｃは、後進レンジ以外の状態では、油路ｃ１，ｃ２，ｃ３，ｃ４，ｃ５，ｃ６，ｃ７，ｃ８，ｃ９，ｃ１０等の油圧をドレーンポートＥＸよりドレーンしてライン圧ＰＬを非出力にするように構成されている。なお、油路ｃ２と油路ｃ３，ｃ４との間には、チェックバルブ６３が介在しており、該チェックバルブ６３は、後進レンジ圧出力ポート２５ｃから後進レンジ圧ＰＲを出力する場合のみに開いて油路ｃ２と油路ｃ３，ｃ４との間を連通する。また、油路ｃ５と油路ｃ４，ｃ８との間には、チェックバルブ６２が介在しており、該チェックバルブ６２は、後進レンジ圧出力ポート２５ｃから後進レンジ圧ＰＲを排出する場合のみに開いて油路ｃ５と油路ｃ４，ｃ８との間を連通する。そして、油路ｃ４にはオリフィス７１が介在されており、油路ｃ３，ｃ４を介して油路ｃ５，ｃ１の油圧を後進レンジ圧出力ポート２５ｃから排出する場合には、該オリフィス７１によって緩やかに遅くなるように排出され、油路ｃ８を介して油路ｃ５，ｃ１の油圧を後進レンジ圧出力ポート２５ｃから排出する場合には、そのまま油圧を排出し、オリフィス７１を通る場合よりも早く排出することになる。
【００３８】
一方、上記セカンダリ圧ＰＳＥＣは、油路ｆ１，ｆ２，ｆ３，ｆ４に供給されており、油路ｆ２を介してロックアップリレーバルブ２１の入力ポート２１ｇに、油路ｆ３を介してロックアップリレーバルブ２１の入力ポート２１ｆに、油路ｆ４を介してロックアップコントロールバルブ２２の入力ポート２２ｅに、それぞれ供給されている。
【００３９】
また、上記ライン圧ＰＬを不図示のモジュレータバルブによって所定圧以下となるように制限されたモジュレータ圧ＰＭＯＤは、油路ｄ１，ｄ２，ｄ３，ｄ４，ｄ５，ｄ６，ｄ７，ｄ８に供給されており、油路ｄ２を介してリニアソレノイドバルブＳＬＵの入力ポートＳＬＵａに、油路ｄ３を介してソレノイドバルブＳＬの入力ポートＳＬａに、油路ｄ６を介してクラッチコントロールバルブ３１の入力ポート３１ｈに、油路ｄ７を介してシーケンスバルブ３２の作動油室３２ｂに、油路ｄ８を介してソレノイドリレーバルブ２３の入力ポート２３ｉに、それぞれ供給されている。
【００４０】
また、詳しくは後述するクラッチコントロールバルブ３１が右半分で示す位置（以下、「右半位置」という）の際は、油路ｄ６を介して入力ポート３１ｈに入力されたモジュレータ圧ＰＭＯＤが油路ｄ１１，ｄ１２，ｄ１３に出力され、入力ポート３１ｂ及びロック油室３１ｃに入力される。また、詳しくは後述するソレノイドリレーバルブ２３が左半分で示す位置（以下、「左半位置」という）の際は、油路ｄ８を介して入力ポート２３ｉに入力されたモジュレータ圧ＰＭＯＤが油路ｄ９に出力され、詳しくは後述するロックアップリレーバルブ２１のロック油室（第１ロック油室）２１ｂに入力される。さらに、詳しくは後述するソレノイドリレーバルブ２３が右半位置の際は、油路ｄ８を介して入力ポート２３ｉに入力されたモジュレータ圧ＰＭＯＤが油路ｄ１０に出力され、詳しくは後述するシーケンスバルブ３２の作動油室３２ｃに入力される。
【００４１】
リニアソレノイドバルブ（ロックアップ制御ソレノイドバルブ）ＳＬＵは、ノーマルクローズタイプからなり、上記モジュレータ圧ＰＭＯＤを入力ポートＳＬＵａに入力し、該モジュレータ圧ＰＭＯＤを制御部（不図示）からの指令に基づき自在に調圧して出力ポートＳＬＵｂから制御圧ＰＳＬＵとして出力する。制御圧ＰＳＬＵは、油路ｅ１，ｅ２，ｅ３，ｅ４に供給され、油路ｅ２を介してロックアップリレーバルブ２１の作動油室（第１作動油室）２１ａと、油路ｅ３を介してロックアップコントロールバルブ２２の作動油室２２ｃと、ソレノイドリレーバルブ２３の入力ポート２３ｂとに入力される。また、ソレノイドリレーバルブ２３が左半位置の場合は、制御圧ＰＳＬＵは油路ｅ５，ｅ６，ｅ７に供給され、詳しくは後述するＢ−４コントロールバルブ３７の作動油室３７ａと、詳しくは後述するＢ１−Ｂ４アプライコントロールバルブ３５の作動油室３５ａとに入力される。
【００４２】
ソレノイドバルブ（信号ソレノイドバルブ）ＳＬは、ノーマルクローズタイプからなり、上記モジュレータ圧ＰＭＯＤを入力ポートＳＬａに入力し、該モジュレータ圧ＰＭＯＤを制御部（不図示）からの指令に基づきオン・オフ制御して、出力ポートＳＬｂから信号圧ＰＳＬとして出力し得る。信号圧ＰＳＬは、油路ｋ１，ｋ２，ｋ３に供給され、クラッチコントロールバルブ３１の作動油室３１ａと、ソレノイドリレーバルブ２３の作動油室２３ａとに入力される。
【００４３】
リニアソレノイドバルブＳＬ４は、ノーマルクローズタイプからなり、上記ライン圧ＰＬを油路ａ４を介して入力ポートＳＬ４ａに入力し、該ライン圧ＰＬを制御部（不図示）からの指令に基づき自在に制御して、出力ポートＳＬ４ｂから油路ｍ１に制御圧ＰＳＬ４として出力し、油路ｍ２を介してフィードバックポートＳＬ４ｃに入力される制御圧ＰＳＬ４によってフィードバックされつつ、制御圧ＰＳＬ４を油路ｍ３に調圧出力する。なお、制御圧ＰＳＬ４は、詳しくは後述するＢ１−Ｂ４アプライコントロールバルブ３５によって、第１ブレーキＢ−１の油圧サーボ５５と第４ブレーキＢ−４の油圧サーボ５６とに振分けられ、第１ブレーキＢ−１の油圧サーボ５５には係合圧ＰＢ１として、第４ブレーキＢ−４の油圧サーボ５６には係合圧ＰＢ４として出力される。
【００４４】
なお、詳細な図示を省略したが、リニアソレノイドバルブＳＬ１は制御圧ＰＳＬ１を油路ｒ１，ｒ２，ｒ３に自在に調圧出力し、該制御圧ＰＳＬ１を油路ｖ１を介して第１クラッチＣ−１の油圧サーボ５１に係合圧ＰＣ１として供給し、リニアソレノイドバルブＳＬ２は制御圧ＰＳＬ２を油路ｎ１，ｎ２，ｎ３に自在に調圧出力し、該制御圧ＰＳＬ２を油路ｕ１を介して第２クラッチＣ−２の油圧サーボ５２に係合圧ＰＣ２として供給する。また、リニアソレノイドバルブＳＬ３は制御圧ＰＳＬ３を油路ｏ１に自在に調圧出力すると共に、不図示の第２ブレーキＢ−１の油圧サーボに係合圧ＰＢ２として供給する。そして、リニアソレノイドバルブＳＬＴは、不図示の制御部の指令に基づき例えばスロットル開度等に応じたＳＬＴ圧ＰＳＬＴを出力し、不図示のプライマリレギュレータバルブやセカンダリレギュレータバルブを調圧制御すると共に、シーケンスバルブ３２の作動油室３２ａにもＳＬＴ圧ＰＳＬＴを供給する。
【００４５】
ロックアップコントロールバルブ２２は、スプール２２ｐと、該スプール２２ｐを一方側（図中下方側）に付勢するスプリング２２ｓと、発進装置５の空間５ａの内圧を一方側に付勢する方向（スプリング２２ｓの付勢方向）にロックアップオンポート５ｄ及び油路ｈ１，ｈ２を介してフィードバックするフィードバック油室２２ｂと、上記油路ｅ３を介してリニアソレノイドバルブＳＬＵの制御圧ＰＳＬＵを一方側に付勢する方向（スプリング２２ｓの付勢方向）に入力する作動油室２２ｃと、上記油路ｆ４を介してセカンダリ圧ＰＳＥＣを入力する入力ポート２２ｅと、該入力ポート２２ｅに入力されたセカンダリ圧ＰＳＥＣを上記作動油室２２ｃの制御圧ＰＳＬＵに基づきロックアップクラッチ８の係合状態を変更するロックアップ係合圧ＰＬ−ＵＰとして調圧出力する出力ポート２２ｄと、後述のロックアップリレーバルブ２１が左半位置の場合に、油路ｇ１，ｇ２，ｇ４を介してロックアップ係合圧ＰＬ−ＵＰをフィードバック圧として他方側に付勢する方向（スプリング２２ｓの付勢に反する方向）に入力するフィードバック油室２２ａと、を有して構成されている。
【００４６】
ロックアップリレーバルブ（ロックアップ切換えバルブ）２１は、スプール（第１スプール）２１ｐと、該スプール２１ｐを一方側（図中上方側の右半位置）（ロックアップオフ位置）に付勢するスプリング（第１スプリング）２１ｓと、上記油路ｅ２を介してリニアソレノイドバルブＳＬＵの制御圧ＰＳＬＵを入力し、入力した制御圧ＰＳＬＵにより該スプール２１ｐを他方側（図中下方側の左半位置）（ロックアップオン位置）に押圧作用させる作動油室２１ａと、上記油路ｄ９を介してモジュレータ圧ＰＭＯＤを一方側に付勢する方向（スプリング２１ｓの付勢方向）に入力し得るロック油室２１ｂと、上記セカンダリ排圧ＰＳＥＣ−Ｄを油路ｉ１を介して入力する入力ポート２１ｃと、左半位置の際に該入力ポート２１ｃに入力したセカンダリ排圧ＰＳＥＣ−Ｄを油路ｊ１、チェックバルブ６１、油路ｊ２を介してオイルクーラ８０に出力する出力ポート２１ｄと、発進装置５の空間５ａの内圧をロックアップオンポート５ｄ及び油路ｈ１，ｈ３を介して入力する入力ポート２１ｅと、上記セカンダリ圧ＰＳＥＣをそれぞれ油路ｆ３，ｆ２を介して入力する入力ポート２１ｆ，２１ｇと、上記ロックアップ係合圧ＰＬ−ＵＰを油路ｇ１を介して入力する入力ポート２１ｉと、左半位置の際に、該入力ポート２１ｉに入力されたロックアップ係合圧ＰＬ−ＵＰを油路ｇ２，ｇ３、ロックアップオフポート５ｃを介して発進装置５の空間５ｂに出力すると共に、油路ｇ４を介して上記ロックアップコントロールバルブ２２のフィードバック油室２２ａに出力する出力ポート２１ｈと、を有して構成されている。なお、オイルクーラ８０を通過した油は、不図示の潤滑回路に供給されて変速機構３等を潤滑した後、油圧制御装置１の下方に設置されたオイルパンに戻される。
【００４７】
ソレノイドリレーバルブ（制御圧切換えバルブ）２３は、スプール（第２スプール）２３ｐと、該スプール２３ｐを一方側（図中上方側の左半位置）（出力位置）に付勢するスプリング（第２スプリング）２３ｓと、上記油路ｋ３を介してソレノイドバルブＳＬの信号圧ＰＳＬを他方側（図中下方側の右半位置）（遮断位置）に付勢する方向（スプリング２３ｓの付勢に反する方向）に入力する作動油室（第２作動油室）２３ａと、上記油路ｅ４を介してリニアソレノイドバルブＳＬＵの制御圧ＰＳＬＵを入力する入力ポート２３ｂと、左半位置の際に該入力ポート２３ｂに入力した制御圧ＰＳＬＵを油路ｅ５，ｅ６，ｅ７に出力する出力ポート２３ｃと、油路ｘ１に連通されて詳しくは後述するように制御圧ＰＳＬ４（係合圧ＰＢ４）を入力し得る入力ポート２３ｄと、油路ｙ３に連通されて詳しくは後述するように後進レンジ圧ＰＲを入力し得る入力ポート２３ｆと、左半位置の際に該入力ポート２３ｄの制御圧ＰＳＬ４（係合圧ＰＢ４）を、右半位置の際に該入力ポート２３ｆの後進レンジ圧ＰＲを、油路ｔ１を介して第４ブレーキＢ−４の油圧サーボ５６に出力し得る出力ポート２３ｅと、リニアソレノイドバルブＳＬ１の制御圧ＰＳＬ１を油路ｒ１，ｒ２を介して入力する入力ポート２３ｇと、モジュレータ圧ＰＭＯＤを油路ｄ８を介して入力する入力ポート２３ｉと、左半位置の際に該入力ポート２３ｇの制御圧ＰＳＬ１を、右半位置の際に該入力ポート２３ｉのモジュレータ圧ＰＭＯＤを、油路ｄ１０を介してシーケンスバルブ３２の作動油室３２ｃに出力し得る出力ポート２３ｈと、左半位置の際に該入力ポート２３ｉのモジュレータ圧ＰＭＯＤを、油路ｄ９を介してロックアップリレーバルブ２１のロック油室２１ｂに出力し得る出力ポート２３ｊと、を有して構成されている。つまりソレノイドリレーバルブ２３は、作動油室２３ａに対する信号圧ＰＳＬの入力状態に基づき左半位置と右半位置とに切換えられる。
【００４８】
クラッチコントロールバルブ３１は、スプール３１ｐと、該スプール３１ｐを一方側（図中上方側の左半位置）に付勢するスプリング３１ｓと、上記油路ｋ２を介してソレノイドバルブＳＬの信号圧ＰＳＬを入力する作動油室３１ａと、上記油路ｂ５を介して前進レンジ圧ＰＤを入力する入力ポート３１ｅと、上記油路ｄ６を介してモジュレータ圧ＰＭＯＤを入力する入力ポート３１ｈと、右半位置の際に該入力ポート３１ｈに入力したモジュレータ圧ＰＭＯＤを油路ｄ１１，ｄ１２，ｄ１３に出力する出力ポート３１ｇと、該油路ｄ１３を介して該出力ポート３１ｇからのモジュレータ圧ＰＭＯＤを入力し、スプール３１ｐを他方側（図中下方側の右半位置）に付勢する入力ポート３１ｂと、該油路ｄ１２を介して該出力ポート３１ｇからのモジュレータ圧ＰＭＯＤを入力し、スプール３１ｐを右半位置にロックするロック油室３１ｃと、左半位置の際に該入力ポート３１ｅに入力した前進レンジ圧ＰＤを油路ｐ１を介してシーケンスバルブ３２の入力ポート３２ｇに出力する出力ポート３１ｄと、右半位置の際に該入力ポート３１ｅに入力した前進レンジ圧ＰＤを油路ｑ１を介してシーケンスバルブ３２の入力ポート３２ｊに出力する出力ポート３１ｆと、を有して構成されている。
【００４９】
シーケンスバルブ（フェールセーフバルブ）３２は、スプール３２ｐと、該スプール３２ｐを一方側（図中下方側の右半位置）（正常位置）に付勢するスプリング３２ｓと、リニアソレノイドバルブＳＬＴからのＳＬＴ圧ＰＳＬＴを他方側（図中上方側の左半位置）（フェールセーフ位置）に付勢する方向（スプリング３２ｓの付勢に反する方向）に入力する作動油室３２ａと、上記油路ｄ７を介してモジュレータ圧ＰＭＯＤを一方側に付勢する方向（スプリング３２ｓの付勢方向）に入力する作動油室３２ｂと、上記ソレノイドリレーバルブ２３が右半位置の際に油路ｄ１０を介してモジュレータ圧ＰＭＯＤを一方側に付勢する方向（スプリング３２ｓの付勢方向）に入力する作動油室（第２ロック油室）３２ｃと、上記油路ａ５を介してライン圧ＰＬを入力する入力ポート３２ｄと、上記油路ｍ３を介してリニアソレノイドバルブＳＬ４の制御圧ＰＳＬ４を入力する入力ポート３２ｆと、左半位置の際に該入力ポート３２ｄに入力されたライン圧ＰＬを、また右半位置の際に入力ポート３２ｆに入力された制御圧ＰＳＬ４を、油路ｗ１，ｗ２，ｗ３に出力する出力ポート３２ｅと、上記クラッチコントロールバルブ３１が左半位置の際に油路ｂ５，ｐ１を介して前進レンジ圧ＰＤを入力する入力ポート３２ｇと、上記油路ｒ３を介してリニアソレノイドバルブＳＬ１の制御圧ＰＳＬ１を入力する入力ポート３２ｉと、左半位置の際に該入力ポート３２ｇに入力された前進レンジ圧ＰＤを、また右半位置の際に入力ポート３２ｉに入力された制御圧ＰＳＬ１を、油路ｖ１を介して第１クラッチＣ−１の油圧サーボ５１に出力する出力ポート３２ｈと、上記クラッチコントロールバルブ３１が右半位置の際に油路ｂ５，ｑ１を介して前進レンジ圧ＰＤを入力する入力ポート３２ｊと、上記油路ｎ２を介してリニアソレノイドバルブＳＬ２の制御圧ＰＳＬ２を入力する入力ポート３２ｌと、左半位置の際に該入力ポート３２ｊに入力された前進レンジ圧ＰＤを、また右半位置の際に入力ポート３２ｌに入力された制御圧ＰＳＬ２を、油路ｕ１を介して第２クラッチＣ−２の油圧サーボ５２に出力する出力ポート３２ｋと、を有して構成されている。
【００５０】
Ｂ−４アプライコントロールバルブ３６は、スプール３６ｐと、該スプール３６ｐを一方側（図中上方側の左半位置）に付勢するスプリング３６ｓと、油路ｎ３を介してリニアソレノイドバルブＳＬ２の制御圧ＰＳＬ２を他方側（図中下方側の右半位置）に付勢する方向（スプリング３６ｓの付勢に反する方向）に入力する作動油室３６ａと、油路ｗ２を介して上記シーケンスバルブ３２からリニアソレノイドバルブＳＬ１の制御圧ＰＳＬ１（フェール時はライン圧ＰＬ）を他方側に付勢する方向（スプリング３６ｓの付勢に反する方向）に入力する作動油室３６ｂと、油路ｏ１を介してリニアソレノイドバルブＳＬ３の制御圧ＰＳＬ３を他方側に付勢する方向（スプリング３６ｓの付勢に反する方向）に入力する作動油室３６ｃと、油路ｂ４を介して前進レンジ圧ＰＤを入力する入力ポート３６ｄと、左半位置の際に該入力ポート３６ｄに入力した前進レンジ圧ＰＤを油路ｂ６に出力する出力ポート３６ｅと、油路ｃ９を介して後進レンジ圧ＰＲを入力する入力ポート３６ｇと、右半位置の際に該入力ポート３６ｇに入力した後進レンジ圧ＰＲを油路ｙ１，ｙ２，ｙ３に出力し、左半位置の際にドレーンポートＥＸに連通する出力ポート３６ｆと、を有して構成されている。
【００５１】
Ｂ−４コントロールバルブ３７は、スプール３７ｐと、該スプール３７ｐを一方側（図中上方側の左半位置）に付勢するスプリング３７ｓと、上記ソレノイドリレーバルブ２３が左半位置の際に上記油路ｅ６を介してリニアソレノイドバルブＳＬＵの制御圧ＰＳＬＵを他方側（図中下方側の右半位置）に付勢する方向（スプリング３７ｓの付勢に反する方向）に入力する作動油室３７ａと、油路ｂ６を介して上記Ｂ−４アプライコントロールバルブ３６が左半位置の際にマニュアルバルブ２５の前進レンジ圧出力ポート２５ｂに連通し、前進レンジ圧ＰＤを入力する入力ポート３７ｇと、油路ｃ６を介して後進レンジ圧出力ポート２５ｃに連通し、後進レンジ圧ＰＲを入力する入力ポート３７ｅと、油路ｃ７を介して該入力ポート３７ｅに連通する連通ポート３７ｄと、右半位置の際に該入力ポート３７ｇに連通し、また左半位置の際に該入力ポート３７ｅに連通し、油路ｚ１，ｚ２，ｚ３に上記作動油室３７ａの制御圧ＰＳＬＵの大きさに基づき、前進レンジ圧ＰＤ又は後進レンジ圧ＰＲを第４ブレーキＢ−４の係合圧ＰＢ４として調圧出力し得る出力ポート３７ｆと、油路ｚ２を介して該出力ポート３７ｆから出力された係合圧ＰＢ４をフィードバック圧として入力するフィードバック油室３７ｂと、右半位置から中間位置（右半位置と左半位置との間の位置）まで該連通ポート３７ｄに連通すると共に、油路ｃ１０を介して後進レンジ圧出力ポート２５ｃに連通された連通ポート３７ｃと、を有して構成されている。なお、このＢ−４コントロールバルブ３７においては、中間位置の際に、出力ポート３７ｆと入力ポート３７ｅとが連通し、さらに、該入力ポート３７ｅと連通ポート３７ｄとが連通し、そして、連通ポート３７ｄと連通ポート３７ｃとが連通するように構成されている。
【００５２】
Ｂ１−Ｂ４アプライコントロールバルブ３５は、スプール３５ｐと、該スプール３５ｐを一方側（図中上方側の左半位置）に付勢するスプリング３５ｓと、上記ソレノイドリレーバルブ２３が左半位置の際に上記油路ｅ７を介してリニアソレノイドバルブＳＬＵの制御圧ＰＳＬＵを他方側（図中下方側の右半位置）に付勢する方向（スプリング３５ｓの付勢に反する方向）に入力する作動油室３５ａと、上記油路ｚ３を介して上記Ｂ−４コントロールバルブ３７が調圧出力した係合圧ＰＢ４を入力する入力ポート３５ｃと、上記油路ｗ３を介して上記シーケンスバルブ３２が右半位置の際にリニアソレノイドバルブＳＬ４の制御圧ＰＳＬ４を入力し、上記シーケンスバルブ３２が左半位置の際にライン圧ＰＬを入力する入力ポート３５ｅと、左半位置の際に該入力ポート３５ｃに入力された係合圧ＰＢ４を、また右半位置の際に上記入力ポート３５ｅに入力された制御圧ＰＳＬ４又はライン圧ＰＬを油路ｘ１に出力する出力ポート３５ｄと、上記Ｂ−４アプライコントロールバルブ３６が右半位置の際に油路ｙ２を介して後進レンジ圧ＰＲを入力し、上記Ｂ−４アプライコントロールバルブ３６が左半位置の際に油路ｙ２及び該Ｂ−４アプライコントロールバルブ３６のドレーンポートＥＸに連通する入力ポート３５ｇと、左半位置の際に該入力ポート３５ｅに連通して制御圧ＰＳＬ４又はライン圧ＰＬを油路ｓ１を介して第１ブレーキＢ−１の油圧サーボ５５に出力し、右半位置の際に該入力ポート３５ｇに連通して、通常は油路ｙ２を介して該Ｂ−４アプライコントロールバルブ３６のドレーンポートＥＸに連通する出力ポート３５ｆと、を有して構成されている。
【００５３】
［前進時の各変速段の作用］
ついで、上記油圧制御装置１の構成に基づいた各状態の作用について説明する。まず、前進時の各変速段（前進１速段〜前進６速段）を達成する際の作用について説明する。なお、前進１速段のエンジンブレーキ時については後述する。
【００５４】
まず、例えばイグニッションスイッチ等の操作によりエンジンが始動されると、不図示のオイルポンプが駆動され、ライン圧ＰＬ、セカンダリ圧ＰＳＥＣ、セカンダリ排圧ＰＳＥＣ−Ｄ、モジュレータ圧ＰＭＯＤなどが発生される。この際、正常状態（フェール時以外）にあっては、一旦ソレノイドバルブＳＬがオンされて信号圧ＰＳＬが油路ｋ１，ｋ２を介してクラッチコントロールバルブ３１の作動油室３１ａに供給され、スプリング３１ｓの付勢力に抗して該クラッチコントロールバルブ３１は右半位置にされる。すると、クラッチコントロールバルブ３１は、油路ｄ１，ｄ４，ｄ５，ｄ６を介して入力ポート３１ｈに入力されたモジュレータ圧ＰＭＯＤが入力ポート３１ｂに入力されて信号圧ＰＳＬと相俟ってスプール３１ｐを右半位置に移動駆動し、ロック油室３１ｃにもモジュレータ圧ＰＭＯＤが入力され、次にエンジンが停止されるまで右半位置にロックされる。また、シーケンスバルブ３２は、油路ｄ１，ｄ４，ｄ５，ｄ７を介してモジュレータ圧ＰＭＯＤが作動油室３２ｂに入力され、スプリング３２ｓの付勢力と相俟って、リニアソレノイドバルブＳＬＴのＳＬＴ圧ＰＳＬＴに打勝って右半位置にされる。
【００５５】
ここで、例えば運転者により前進レンジが選択されると、マニュアルバルブ２５のスプール２５ｐが前進レンジ位置に移動駆動され、前進レンジ圧出力ポート２５ｂから前進レンジ圧ＰＤが油路ｂ１〜ｂ６等に出力される共に、リニアソレノイドバルブＳＬ１が前進レンジ圧ＰＤを調圧した制御圧ＰＳＬ１を第１クラッチＣ−１の油圧サーボ５１に供給する係合圧ＰＣ１として出力する。すると、油路ｒ１，ｒ３を介して右半位置のシーケンスバルブ３２の入力ポート３２ｉ及び出力ポート３２ｈを通り、油路ｖ１を介して第１クラッチＣ−１の油圧サーボ５１に係合圧ＰＣ１が供給され、該第１クラッチＣ−１が係合制御されて、ワンウェイクラッチＦ−３と相俟って前進１速段を形成する。
【００５６】
次に、リニアソレノイドバルブＳＬ３から不図示の第２ブレーキＢ−１の油圧サーボに制御圧ＰＳＬ３が係合圧ＰＢ２として供給されると、該第２ブレーキＢ−１が係合制御され、上記第１クラッチＣ−１の係合と相俟って前進２速段を形成する。
【００５７】
続いて、リニアソレノイドバルブＳＬ３から係合圧ＰＢ２が排出されると共に、リニアソレノイドバルブＳＬ４から制御圧ＰＳＬ４が係合圧ＰＢ１として出力されると、該係合圧ＰＢ１は、油路ｍ１，ｍ３、シーケンスバルブ３２の入力ポート３２ｆ及び出力ポート３２ｅ、油路ｗ１，ｗ３を通り、さらにスプリング３５ｓの付勢力により左半位置となっているＢ１−Ｂ４アプライコントロールバルブ３５の入力ポート３５ｅ及び出力ポート３５ｆ、油路ｓ１を通って、第１ブレーキＢ−１の油圧サーボ５５に供給される。これにより、該第１ブレーキＢ−１が係合制御され、上記第１クラッチＣ−１の係合と相俟って前進３速段を形成する。
【００５８】
さらに、リニアソレノイドバルブＳＬ４から係合圧ＰＢ１が排出されると共に、リニアソレノイドバルブＳＬ２から制御圧ＰＳＬ２が係合圧ＰＣ２として出力されると、該係合圧ＰＣ２は、油路ｎ１，ｎ２、右半位置のシーケンスバルブ３２の入力ポート３２ｌ及び出力ポート３２ｋ、油路ｕ１を通って、第２クラッチＣ−２の油圧サーボ５２に供給される。これにより、該第２クラッチＣ−２が係合制御され、上記第１クラッチＣ−１の係合と相俟って前進４速段を形成する。
【００５９】
次に、リニアソレノイドバルブＳＬ１から係合圧ＰＣ１が排出されると共に、リニアソレノイドバルブＳＬ４から制御圧ＰＳＬ４が係合圧ＰＢ１として出力され、上記前進３速段と同様に油圧サーボ５５に供給されると、第１ブレーキＢ−１が再度係合制御され、上記第２クラッチＣ−２の係合と相俟って前進５速段を形成する。
【００６０】
そして、リニアソレノイドバルブＳＬ４から係合圧ＰＢ１が排出されると共に、リニアソレノイドバルブＳＬ３から制御圧ＰＳＬ３が係合圧ＰＢ２として出力され、上記前進２速段と同様に不図示の油圧サーボに供給されると、第２ブレーキＢ−１が再度係合制御され、上記第２クラッチＣ−２の係合と相俟って前進６速段を形成する。
【００６１】
［ロックアップオン時の作用］
上述したような前進走行中にあって、ロックアップクラッチ８をロックアップオンする際は、まず、ソレノイドバルブＳＬをオンして信号圧ＰＳＬを出力する。すると、油路ｋ１，ｋ３を介して信号圧ＰＳＬがソレノイドリレーバルブ２３の作動油室２３ａに供給され、スプリング２３ｓの付勢力に打勝って右半位置にされる。これにより、油路ｄ８に供給されているモジュレータ圧ＰＭＯＤは、入力ポート２３ｉ及び出力ポート２３ｈ、油路ｄ１０を通ってシーケンスバルブ３２の作動油室３２ｃに供給され、該シーケンスバルブ３２の右半位置のロックを強めることになり、例えばリニアソレノイドバルブＳＬＴのＳＬＴ圧ＰＳＬＴがスロットル開度等に基づき上昇されてもシーケンスバルブ３２の右半位置のロックが維持される。このように作動油室３２ｃのモジュレータ圧ＰＭＯＤによる右半位置のロックが強まることで、ロックアップオン時におけるリニアソレノイドバルブＳＬＴのＳＬＴ圧ＰＳＬＴの使用領域を高くすることができる。また、油路ｅ４に供給されるリニアソレノイドバルブＳＬＵの制御圧ＰＳＬＵは、ソレノイドリレーバルブ２３の入力ポート２３ｂが遮断されることにより、油路ｅ５，ｅ６，ｅ７に供給されず、つまりリニアソレノイドバルブＳＬＵの制御圧ＰＳＬＵは、ロックアップリレーバルブ２１の作動油室２１ａとロックアップコントロールバルブ２２の作動油室２２ｃとだけに供給され、つまりロックアップクラッチ８の係合制御だけに用いられることになる。なお、クラッチコントロールバルブ３１は、上述したようにエンジン始動時に右半位置にロックされており、油路ｋ２から信号圧ＰＳＬが作動油室３１ａに供給されても右半位置のままである。
【００６２】
詳細には、ソレノイドバルブＳＬが信号圧ＰＳＬを出力した状態で、リニアソレノイドバルブＳＬＵから制御圧ＰＳＬＵが出力されると、油路ｅ１，ｅ２を介してロックアップリレーバルブ２１の作動油室２１ａに該制御圧ＰＳＬＵが入力され、スプリング２１ｓの付勢力に打勝って該ロックアップリレーバルブ２１が左半位置にされる。また、リニアソレノイドバルブＳＬＵから制御圧ＰＳＬＵが出力されると、油路ｅ１，ｅ３を介してロックアップコントロールバルブ２２の作動油室２２ｃに入力され、該ロックアップコントロールバルブ２２が右半位置から左半位置に自在に移動駆動される。これにより、油路ｆ１，ｆ４を介して入力ポート２２ｅに供給されているセカンダリ圧ＰＳＥＣは、制御圧ＰＳＬＵの大きさに基づき、ロックアップコントロールバルブ２２により自在にロックアップ係合圧ＰＬ−ＵＰとして調圧され、左半位置のロックアップリレーバルブ２１の入力ポート２１ｉ及び出力ポート２１ｈを通り、油路ｇ２，ｇ３を介してロックアップオフポート５ｃから空間５ｂに供給される。
【００６３】
また同時に、セカンダリ圧ＰＳＥＣは、油路ｆ１，ｆ３、左半位置のロックアップリレーバルブ２１の入力ポート２１ｆ及び入力ポート２１ｅを通り、さらに、油路ｈ３，ｈ１を介してロックアップオンポート５ｄから空間５ａに供給される。これにより、空間５ａにおけるセカンダリ圧ＰＳＥＣに対し、空間５ｂにおけるロックアップコントロールバルブ２２により調圧されたロックアップ係合圧ＰＬ−ＵＰが小さくされることで、ピストン８ａの摩擦材８ｂがフロントカバー５Ａの内側面に押圧されて係合し、フロントカバー５Ａとタービンランナ７ｂとの回転が一体的となって、つまりロックアップクラッチ８が係合制御される。なお、空間５ａのセカンダリ圧ＰＳＥＣは、油路ｈ２を介してロックアップコントロールバルブ２２のフィードバック油室２２ｂにフィードバックされ、空間５ｂのロックアップ係合圧ＰＬ−ＵＰは、油路ｇ４を介してロックアップコントロールバルブ２２のフィードバック油室２２ａにフィードバックされ、例えばロックアップクラッチ８のスリップ係合中にあって、どちらか一方が大きく変動した際の変動吸収が行われるように構成されている。
【００６４】
［ロックアップオフ時の作用］
上記ロックアップクラッチ８をロックアップオフする際には、まず、リニアソレノイドバルブＳＬＵの制御圧ＰＳＬＵを制御してロックアップコントロールバルブ２２によりロックアップ係合圧ＰＬ−ＵＰをセカンダリ圧ＰＳＥＣと略々同圧にし、ピストン８ａの摩擦材８ｂがフロントカバー５Ａの内側面から離反可能な状態にしてから、ソレノイドバルブＳＬをオフして信号圧ＰＳＬを非出力状態にする。
【００６５】
すると、ソレノイドリレーバルブ２３の作動油室２３ａに信号圧ＰＳＬが供給されず、該ソレノイドリレーバルブ２３はスプリング２３ｓの付勢力によって左半位置にされる。これにより、入力ポート２３ｉに入力されているモジュレータ圧ＰＭＯＤが出力ポート２３ｊから出力され、油路ｄ９を介してロックアップリレーバルブ２１のロック油室２１ｂに供給される。この際、リニアソレノイドバルブＳＬＵが制御圧ＰＳＬＵを出力して作動油室２１ａに供給していたとしても、該制御圧ＰＳＬＵの元圧がモジュレータ圧ＰＭＯＤであるため、ロック油室２１ｂのモジュレータ圧ＰＭＯＤとスプリング２１ｓの付勢力が作動油室２１ａの制御圧ＰＳＬＵを必ず上回り、ロックアップリレーバルブ２１は右半位置にされる。これにより、ロックアップコントロールバルブ２２が出力するロックアップ係合圧ＰＬ−ＵＰは、ロックアップリレーバルブ２１の入力ポート２１ｉで遮断され、油路ｆ２から入力ポート２１ｇに入力されているセカンダリ圧ＰＳＥＣが、出力ポート２１ｈから出力され、油路ｇ３を介して上記空間５ｂに供給されてピストン８ａをフロントカバー５Ａから離反させ、ロックアップクラッチ８をロックアップオフ状態にすると共に、空間５ａを通って油路ｈ１，ｈ３を通り、ロックアップリレーバルブ２１の入力ポート２１ｅ及び出力ポート２１ｄ、油路ｊ１、チェックバルブ６１、油路ｊ２を通って、オイルクーラ８０に供給される。
【００６６】
このように、ロックアップオフ状態では、ロックアップリレーバルブ２１のロック油室２１ｂにモジュレータ圧ＰＭＯＤが入力されると、ロックアップ係合圧ＰＬ−ＵＰは遮断され、かつ作動油室２１ａの制御圧ＰＳＬＵもロック油室２１ｂのモジュレータ圧ＰＭＯＤとスプリング２１ｓの付勢力とに対して打勝つことがないので、ロックアップリレーバルブ２１及びロックアップコントロールバルブ２２に対する制御圧ＰＳＬＵの出力が無効化され、つまりリニアソレノイドバルブＳＬＵの制御圧ＰＳＬＵは、他の制御に自由に使用できる状態となる。
【００６７】
［前進１速段のエンジンブレーキ時の作用］
続いて、上記ロックアップオフ状態で自由となった制御圧ＰＳＬＵを用いた、前進１速段のエンジンブレーキ時の油圧制御について説明する。上述したように、ロックアップオフ状態では、ソレノイドバルブＳＬの信号圧ＰＳＬが非出力状態であり、ソレノイドリレーバルブ２３は左半位置にされる。すると、リニアソレノイドバルブＳＬＵが出力した制御圧ＰＳＬＵは、油路ｅ１，ｅ４からソレノイドリレーバルブ２３の入力ポート２３ｂ及び出力ポート２３ｃを通って、油路ｅ５，ｅ６，ｅ７に出力され、それぞれＢ１−Ｂ４アプライコントロールバルブ３５の作動油室３５ａとＢ−４コントロールバルブ３７の作動油室３７ａとに供給される。なお、Ｂ１−Ｂ４アプライコントロールバルブ３５のスプリング３５ｓの付勢力は、Ｂ−４コントロールバルブ３７のスプリング３７ｓの付勢力よりも強く設定されており、制御圧ＰＳＬＵによってスプリング３７ｓが打ち負けてＢ−４コントロールバルブ３７が右半位置になる以上の油圧となると、制御圧ＰＳＬＵによってスプリング３５ｓが打ち負けてＢ１−Ｂ４アプライコントロールバルブ３５が右半位置になる。従って、前進１速段のエンジンブレーキ時においては、リニアソレノイドバルブＳＬＵは、制御圧ＰＳＬＵの強さを調整し、Ｂ１−Ｂ４アプライコントロールバルブ３５が左半位置に維持された状態で、Ｂ−４コントロールバルブ３７が左半位置から右半位置まで自在に移動駆動する。
【００６８】
前進１速段のエンジンブレーキ時においては、マニュアルバルブ２５の前進レンジ圧出力ポート２５ｂから前進レンジ圧ＰＤが出力され、油路ｂ１，ｂ３，ｂ４を介してＢ−４アプライコントロールバルブ３６の入力ポート３６ｄに入力され、該Ｂ−４アプライコントロールバルブ３６は、作動油室３６ａ，３６ｂ，３６ｃに油圧が入力されていないので、左半位置となり、入力ポート３６ｄに入力された前進レンジ圧ＰＤが出力ポート３６ｅから油路ｂ６に出力され、Ｂ−４コントロールバルブ３７の入力ポート３７ｇに入力されている。そして、入力ポート３７ｇの前進レンジ圧ＰＤは、作動油室３７ａの制御圧ＰＳＬＵの大きさによって徐々に右半位置にされることで出力ポート３７ｆから大きさが調圧される形で油路ｚ１，ｚ２，ｚ３に出力され、フィードバック油室３７ｂにフィードバック圧として作用しつつ調圧されることで、第４ブレーキＢ−４の係合圧ＰＢ４として調圧される。このように制御圧ＰＳＬＵの大きさによって調圧された係合圧ＰＢ４は、油路ｚ３を介して左半位置のＢ１−Ｂ４アプライコントロールバルブ３５の入力ポート３５ｃに入力され、さらに、出力ポート３５ｄから油路ｘ１に出力されて、上述のように左半位置のソレノイドリレーバルブ２３の入力ポート２３ｄに入力され、出力ポート２３ｅから油路ｔ１を介して第４ブレーキＢ−４の油圧サーボ５６に供給される。これにより、第４ブレーキＢ−４が係合され、第１クラッチＣ−１の係合と相俟って前進１速段のエンジンブレーキ（ワンウェイクラッチＦ−３の逆転回転防止）が達成される。
【００６９】
［ニュートラル時の作用］
ついで、ニュートラル時の第４ブレーキＢ−４の係合時（図２参照）の油圧制御について説明する。ニュートラル時には、変速機構３をニュートラル状態にするので、第４ブレーキＢ−４を係合していなくてもよいが、第１クラッチＣ−１，Ｃ−２などが潤滑油によって僅かに引き摺りを生じた場合などに、変速機構３が自由回転状態であるので、僅かに回転を生じる虞があり、そこで第４ブレーキＢ−４を係合して、変速機構３の自由回転状態を規制しておくことが望ましい。また、ニュートラルレンジから後進レンジに切換えられる際に、予めニュートラル状態で第４ブレーキＢ−４を係合しておくことで、後進段の形成における第４ブレーキＢ−４の係合のレスポンス向上を図ることも可能となる。そのため、本自動変速機２においては、ニュートラル状態で第４ブレーキＢ−４の油圧サーボ５６に係合圧ＰＢ４を供給して第４ブレーキＢ−４を係合する。
【００７０】
ニュートラル状態にあっても、上述したようにロックアップオフ状態であるので、上述のようにリニアソレノイドバルブＳＬＵの制御圧ＰＳＬＵを自由に用いることができるが、マニュアルバルブ２５から前進レンジ圧ＰＤが出力されなくなるので、リニアソレノイドバルブＳＬ４の制御圧ＰＳＬ４を係合圧ＰＢ４として用いる。
【００７１】
詳細には、ニュートラル状態にあってもロックアップオフ状態にされるので、上述したように自由に用いることのできる制御圧ＰＳＬＵを大きな圧力で出力し、Ｂ１−Ｂ４アプライコントロールバルブ３５とＢ−４コントロールバルブ３７とを共に右半位置に切換える。この際、マニュアルバルブ２５はニュートラル位置であり、前進レンジ圧ＰＤや後進レンジ圧ＰＲは出力されていないので、Ｂ−４コントロールバルブ３７には何れの入力ポート３７ｅ，３７ｇにも油圧が入力されてなく、右半位置であっても何ら油圧を出力しないので、つまりＢ−４コントロールバルブ３７が右半位置に切換えられても何も動作に影響がない。
【００７２】
そして、この状態でリニアソレノイドバルブＳＬ４の出力ポートＳＬ４ｂから制御圧ＰＳＬ４が第４ブレーキＢ−４の係合圧ＰＢ４として出力される。すると、係合圧ＰＢ４は、油路ｍ１，ｍ３、作動油室３２ｂにモジュレータ圧ＰＭＯＤを入力して右半位置となったシーケンスバルブ３２の入力ポート３２ｆ及び出力ポート３２ｅ、油路ｗ１，ｗ３、上述のように制御圧ＰＳＬＵで右半位置に切換えられたＢ１−Ｂ４アプライコントロールバルブ３５の入力ポート３５ｅ及び出力ポート３５ｄ、油路ｘ１、スプリング２３ｓの付勢力により左半位置に切換えられたソレノイドリレーバルブ２３の入力ポート２３ｄ及び出力ポート２３ｅ、油路ｔ１を通り、第４ブレーキＢ−４の油圧サーボ５６に係合圧ＰＢ４が供給されて、該第４ブレーキＢ−４が係合される。
【００７３】
なお、この際の第４ブレーキＢ−４の係合は、変速機構３の自由回転状態を停止させるだけの目的を達成できれば十分であるので、リニアソレノイドバルブＳＬ４が出力する係合圧ＰＢ４は小さくて足り、特にＢ−４アプライコントロールバルブ３６は、作動油室３６ｂに係合圧ＰＢ４が入力されるが、スプリング３６ｓの付勢力に打勝つことはなく、左半位置に維持される。
【００７４】
なお、このニュートラルレンジの状態から前進レンジの状態に例えば運転者によってレンジ切換えが行われた場合には、リニアソレノイドバルブＳＬ４から係合圧ＰＢ４をドレーンした後、リニアソレノイドバルブＳＬＵの制御圧ＰＳＬＵを小さくすることで、上記第４ブレーキＢ−４の解放を行う。そして、前進１速段の形成は、第１クラッチＣ−１の係合と共にワンウェイクラッチＦ−３の自動係合で行われるが（図２参照）、仮に第４ブレーキＢ−４の解放が遅れたとしても、ワンウェイクラッチＦ−３の係合状態と同じ状態であるので特に問題は無い。
【００７５】
また、このニュートラルレンジの状態から後進レンジの状態に例えば運転者によってレンジ切換えが行われた場合には、リニアソレノイドバルブＳＬ４から係合圧ＰＢ４をドレーンすることなく、詳しくは後述するように後進レンジ圧ＰＲで第４ブレーキＢ−４の係合を行う。
【００７６】
［後進時の作用］
続いて、後進時（後進レンジ時）の油圧制御について説明する。なお、この後進時にあっても、ロックアップオフ状態であり、ソレノイドバルブＳＬから信号圧ＰＳＬが出力されずにソレノイドリレーバルブ２３が左半位置であって油路ｄ９からモジュレータ圧ＰＭＯＤがロックアップリレーバルブ２１のロック油室２１ｂに入力されて右半位置にロックされているので、リニアソレノイドバルブＳＬＵの制御圧ＰＳＬＵは自由に用いることができるが、本実施の形態では、第４ブレーキＢ−４を後進レンジ圧ＰＲで急速係合しておき、第１ブレーキＢ−１をリニアソレノイドバルブＳＬ４の制御圧ＰＳＬ４を係合圧ＰＢ１として調圧制御することでショックを緩和した後進段の形成を行うので、リニアソレノイドバルブＳＬＵの制御圧ＰＳＬＵは用いない。
【００７７】
詳示には、例えば運転者によりニュートラルレンジの状態から後進レンジの状態にレンジ切換えが行われると、マニュアルバルブ２５が後進レンジ位置となって、後進レンジ圧出力ポート２５ｃからライン圧ＰＬが後進レンジ圧ＰＲとして出力され、油路ｃ１，ｃ２、チェックバルブ６３、油路ｃ３を介してＢ−４コントロールバルブ３７の入力ポート３７ｅに入力される。このＢ−４コントロールバルブ３７は、制御圧ＰＳＬＵが作動油室３７ａに入力されていないので、スプリング３７ｓの付勢力に基づき左半位置となっており、連通ポート３７ｄが遮断されて油路ｃ７の後進レンジ圧ＰＲは遮断されていると共に、入力ポート３７ｅの後進レンジ圧ＰＲが出力ポート３７ｆから油路ｚ１，ｚ３に出力される。なお、油路ｚ２を介してフィードバック油室３７ｂにも後進レンジ圧ＰＲが入力されるが、Ｂ−４コントロールバルブ３７は左半位置のままであるので影響はない。
【００７８】
また、Ｂ１−Ｂ４アプライコントロールバルブ３５も制御圧ＰＳＬＵが作動油室３５ａに入力されていないので、スプリング３５ｓの付勢力に基づき左半位置となっており、油路ｚ３から入力ポート３５ｃに入力された後進レンジ圧ＰＲは、出力ポート３５ｄから油路ｚ１、上記のように左半位置のソレノイドリレーバルブ２３の入力ポート２３ｄ及び出力ポート２３ｅ、油路ｔ１を通って、第４ブレーキＢ−４の油圧サーボ５６に供給される。これにより、後進レンジ圧ＰＲは、マニュアルバルブ２５から出力されてからオリフィス７１を通ることもなく、第４ブレーキＢ−４は急係合されることになる。
【００７９】
一方、リニアソレノイドバルブＳＬ４からは制御圧ＰＳＬ４が第１ブレーキＢ−１の係合圧ＰＢ１として調圧出力される。すると、係合圧ＰＢ１は、上述のように正常時には右半位置にされたシーケンスバルブ３２の入力ポート３２ｆ及び出力ポート３２ｅ、油路ｗ１，ｗ３、左半位置のＢ１−Ｂ４アプライコントロールバルブ３５の入力ポート３５ｅ及び出力ポート３５ｆ、油路ｓ１を通って、第１ブレーキＢ−１の油圧サーボ５５に供給され、該第１ブレーキＢ−１が係合される。なお、係合圧ＰＢ１は、リニアソレノイドバルブＳＬ４から大きな圧として出力されるので、油路ｗ２を介してＢ−４アプライコントロールバルブ３６の作動油室３６ｂに入力されて、該Ｂ−４アプライコントロールバルブ３６を右半位置に切換える。
【００８０】
ところで、Ｂ１−Ｂ４アプライコントロールバルブ３５は、上述したニュートラル時で右半位置となって、リニアソレノイドバルブＳＬ４の制御圧ＰＳＬ４を第４ブレーキＢ−４の油圧サーボ５６に振分け、この後進時で左半位置となって、制御圧ＰＳＬ４を第１ブレーキＢ−１の油圧サーボ５５に振分ける。そのため、例えばこのＢ１−Ｂ４アプライコントロールバルブ３５が右半位置でバルブスティックしてしまうと、リニアソレノイドバルブＳＬ４の制御圧ＰＳＬ４が第４ブレーキＢ−４の油圧サーボ５６に供給され、第４ブレーキＢ−４の係合は維持されるが、第１ブレーキＢ−１が係合できなくなる虞がある。
【００８１】
そこで、本油圧制御装置１では、マニュアルバルブ２５の後進レンジ圧出力ポート２５ｃから油路ｃ１，ｃ２，ｃ４，ｃ８，ｃ９を介してＢ−４アプライコントロールバルブ３６の入力ポート３６ｇにも後進レンジ圧ＰＲを入力し、さらに右半位置であるＢ−４アプライコントロールバルブ３６の出力ポート３６ｆから油路ｙ１，ｙ２，ｙ３に後進レンジ圧ＰＲを出力する。これにより、油路ｙ２からＢ１−Ｂ４アプライコントロールバルブ３５の入力ポート３５ｇに後進レンジ圧ＰＲが入力されるので、例えばこのＢ１−Ｂ４アプライコントロールバルブ３５が右半位置でバルブスティックしても入力ポート３５ｇの後進レンジ圧ＰＲが出力ポート３５ｆ、油路ｓ１を介して第１ブレーキＢ−１の油圧サーボ５５に供給され、上記制御圧ＰＳＬ４の第４ブレーキＢ−４の油圧サーボ５６へ供給と相俟って、第１ブレーキＢ−１及び第４ブレーキＢ−４が係合され、つまり後進段の形成が補償される。
【００８２】
また更に、例えばソレノイドリレーバルブ２３が右半位置でバルブスティックしたとしても、上述のように油路ｙ３に後進レンジ圧ＰＲが供給されているので、入力ポート２３ｆの後進レンジ圧ＰＲが出力ポート２３ｅ、油路ｔ１を介して第４ブレーキＢ−４の油圧サーボ５６に供給され、これによって第４ブレーキＢ−４の係合も補償される。
【００８３】
［後進段から第４ブレーキＢ−４の油圧をドレーンする際の作用］
ついで、上述した後進レンジの状態からニュートラルレンジの状態に切換えられた際の油圧制御について説明する。例えば運転者により後進レンジの状態からニュートラルレンジの状態に切換えられると、リニアソレノイドバルブＳＬ４は、係合圧ＰＢ１として出力していた制御圧ＰＳＬ４が徐々に低くなるように調圧し、第１ブレーキＢ−１をスリップ制御しつつ解放させることでトルク変動が滑らかとなるように解放する。この間、後進レンジ圧ＰＲで係合されていた第４ブレーキＢ−４が、先に後進レンジ圧ＰＲが抜けることで急解放してしまうと、第１ブレーキＢ−１が緩やかに解放されるように調圧制御することが無意味になる。そのため、第４ブレーキＢ−４の油圧サーボ５６に供給されていた後進レンジ圧ＰＲは、第１ブレーキＢ−１の解放制御が終了するまで係合状態を維持するように、緩やかに抜けるように構成されている。
【００８４】
詳細には、第４ブレーキＢ−４の油圧サーボ５６の後進レンジ圧ＰＲ（油圧）は、油路ｔ１、ソレノイドリレーバルブ２３、油路ｘ１、Ｂ１−Ｂ４アプライコントロールバルブ３５、油路ｚ３，ｚ１、Ｂ−４コントロールバルブ３７、油路ｃ６，ｃ３まで供給経路を逆流する形でマニュアルバルブ２５の後進レンジ圧出力ポート２５ｃに向かうが、チェックバルブ６３によって逆流が防止されるため、オリフィス７１が介在された油路ｃ４、チェックバルブ６２、油路ｃ５，ｃ１を通って、ニュートラル位置にされたマニュアルバルブ２５の後進レンジ圧出力ポート２５ｃから排出される。このようにオリフィス７１を通過して第４ブレーキＢ−４の油圧サーボ５６の後進レンジ圧ＰＲがドレーンされるため、リニアソレノイドバルブＳＬ４による第１ブレーキＢ−１の解放制御が終了してから、第４ブレーキＢ−４が解放され、これによってトルクの急変動（トルク抜け）が発生することなく、後進段からニュートラル状態にされる。
【００８５】
［前進１速段のエンジンブレーキ時から第４ブレーキＢ−４の油圧をドレーンする際の作用］
次に、上述した前進１速段のエンジンブレーキ時から第４ブレーキＢ−４の係合圧ＰＢ４（油圧）をドレーンする際について、上記後進時の第４ブレーキＢ−４の後進レンジ圧ＰＲ（油圧）のドレーンと比較しつつ説明する。上記後進時における第４ブレーキＢ−４の後進レンジ圧ＰＲ（油圧）のドレーンは、上述のように油路ｔ１、ソレノイドリレーバルブ２３、油路ｘ１、Ｂ１−Ｂ４アプライコントロールバルブ３５、油路ｚ３，ｚ１、Ｂ−４コントロールバルブ３７、油路ｃ６，ｃ３、オリフィス７１が介在された油路ｃ４、チェックバルブ６２、油路ｃ５，ｃ１を通って、ニュートラル位置にされたマニュアルバルブ２５の後進レンジ圧出力ポート２５ｃから排出される。そのため、第４ブレーキＢ−４の解放は比較的長時間で行われるが、前進１速段のエンジンブレーキ時から他の変速段への変速（例えば前進２速段への変速）の際に、同じ経路を用いてドレーンを行うと、オリフィス７１を経由することになって、第４ブレーキＢ−４の解放が遅くなり、次の変速段（例えば前進２速段）の形成が遅れる虞がある。
【００８６】
そこで、本油圧制御装置１においては、前進１速段のエンジンブレーキ時から他の変速段への変速する際、油圧サーボ５６からＢ−４コントロールバルブ３７までは同じ経路を用いるが、オリフィス７１を経由しないで迅速に第４ブレーキＢ−４の係合圧ＰＢ４（油圧）をドレーンする。
【００８７】
詳細には、前進１速段のエンジンブレーキ時には、油路ｂ６の前進レンジ圧ＰＤをＢ−４コントロールバルブ３７の作動油室３７ａに供給されるリニアソレノイドバルブＳＬＵの制御圧ＰＳＬＵによって調圧して出力している状態であるので、ドレーンを行う際には、該制御圧ＰＳＬＵをスプリング３７ｓの付勢力と釣り合う大きさに制御して、スプール３７ｐを右半位置と左半位置との間の中間位置に調整する。すると、出力ポート３７ｆと入力ポート３７ｅ、入力ポート３７ｅと連通ポート３７ｄ、連通ポート３７ｄと連通ポート３７ｃ、がそれぞれ連通し、該出力ポート３７ｆまで逆流してきた形の係合圧ＰＢ４は、該出力ポート３７ｆから入力ポート３７ｅ、油路ｃ６，ｃ７、連通ポート３７ｄ、連通ポート３７ｃ、油路ｃ１０，ｃ８、チェックバルブ６２、油路ｃ５，ｃ１を通り、前進レンジ位置であるマニュアルバルブ２５の後進レンジ圧出力ポート２５ｃから排出される。これにより、第４ブレーキＢ−４の係合圧ＰＢ４（油圧）は、オリフィス７１を経由することなく、迅速にドレーンされ、前進１速段のエンジンブレーキの状態から他の変速段に迅速に変速を行うことが可能となる。なお、本油圧制御装置１では、後述するように後進段の形成を補償するために、第４ブレーキＢ−４の係合圧ＰＢ４（油圧）をマニュアルバルブ２５の後進レンジ圧出力ポート２５ｃから排出しているが、連通ポート３７ｃをそのままドレーンポートとして、そのまま第４ブレーキＢ−４の係合圧ＰＢ４（油圧）をドレーンしてもよい。
【００８８】
［Ｂ−４コントロールバルブの中間スティック時の作用］
ところで、上述のようにＢ−４コントロールバルブ３７が右半位置と左半位置との間の中間位置であると、連通ポート３７ｃが、出力ポート３７ｆに連通し、つまり中間位置であると連通ポート３７ｃは第４ブレーキＢ−４の油圧サーボ５６に連通することになる。この際、例えば後進レンジの際に連通ポート３７ｃがドレーンポートであって、Ｂ−４コントロールバルブ３７が中間位置にバルブスティックすると、油路ｃ１、ｃ２、ｃ３、ｃ６を介して入力ポート３７ｅに入力された後進レンジ圧ＰＲが連通ポート３７ｃからドレーンされて抜けてしまい、第４ブレーキＢ−４の油圧サーボ５６に後進レンジ圧ＰＲが供給できずに第４ブレーキＢ−４が係合できなくなる虞がある。そのため、本油圧制御装置１では、連通ポート３７ｃとマニュアルバルブ２５の後進レンジ圧出力ポート２５ｃとを油路ｃ１，ｃ２，ｃ４，ｃ８，ｃ１０を介して接続しておく。これにより、例えばＢ−４コントロールバルブ３７が中間位置にバルブスティックしたとしても、連通ポート３７ｃに後進レンジ圧ＰＲが供給され、入力ポート３７ｅに入力された後進レンジ圧ＰＲが抜けることなく、第４ブレーキＢ−４が係合でき、つまり後進レンジの際における後進段の形成を補償することができる。
【００８９】
［オールオフフェール時の作用］
ついで、本油圧制御装置１におけるオールオフフェール時の油圧制御について説明する。上述したように、正常時にエンジンが始動されると、一旦ソレノイドバルブＳＬがオンされて信号圧ＰＳＬがクラッチコントロールバルブ３１の作動油室３１ａに供給され、スプリング３１ｓの付勢力に抗して該クラッチコントロールバルブ３１は右半位置にされると、油路ｄ１，ｄ４，ｄ５，ｄ６を介して入力ポート３１ｈに入力されたモジュレータ圧ＰＭＯＤが入力ポート３１ｂに入力されて信号圧ＰＳＬと相俟ってスプール３１ｐを右半位置に移動駆動し、ロック油室３１ｃにもモジュレータ圧ＰＭＯＤが入力され、次にエンジンが停止されるまで右半位置にロックされる。この状態で、マニュアルバルブ２５が前進レンジ位置にされた状態では、前進レンジ圧出力ポート２５ｂから出力された前進レンジ圧ＰＤが油路ｂ１，ｂ３，ｂ５を介して入力ポート３１ｅに供給され、右半位置のクラッチコントロールバルブ３１の出力ポート３１ｆから油路ｑ１に出力され、正常時に右半位置のシーケンスバルブ３２の入力ポート３２ｊで遮断されている状態となる。
【００９０】
この状態から、例えば全てのソレノイドバルブを非通電にするオールオフフェール状態に移行すると、ノーマルクローズタイプであるソレノイドバルブＳＬや、ノーマルクローズタイプであるリニアソレノイドバルブＳＬＵ，ＳＬ１，ＳＬ２，ＳＬ３，ＳＬ４が遮断され、ノーマルオープンタイプであるリニアソレノイドバルブＳＬＴが全開にされる。すると、リニアソレノイドバルブＳＬＴに入力されているモジュレータ圧ＰＭＯＤがＳＬＴ圧ＰＳＬＴとしてシーケンスバルブ３２の作動油室３２ａに入力され、該シーケンスバルブ３２は左半位置に切換えられる。なお、ソレノイドバルブＳＬが遮断されてソレノイドリレーバルブ２３が左半位置にされ、該ソレノイドリレーバルブ２３からロックアップリレーバルブ２１のロック油室２１ｂにモジュレータ圧ＰＭＯＤが供給されるので、オールオフフェール状態ではロックアップオフ状態にロックされ、ロックアップクラッチ８の係合によるエンジンのストップなどが発生することが確実に防止される。
【００９１】
すると、油路ａ１，ａ３，ａ５を介してシーケンスバルブ３２の入力ポート３２ｄに入力されていたライン圧ＰＬが出力ポート３２ｅから油路ｗ１，ｗ３に出力され、左半位置であるＢ１−Ｂ４アプライコントロールバルブ３５の入力ポート３５ｅ及び出力ポート３５ｆ、油路ｓ１を介して第１ブレーキＢ−１の油圧サーボ５５にライン圧ＰＬが供給されて、該第１ブレーキＢ−１が係合状態にされる。
【００９２】
また、上述のようにクラッチコントロールバルブ３１から油路ｑ１を介してシーケンスバルブ３２の入力ポート３２ｊに入力されていた前進レンジ圧ＰＤは、出力ポート３２ｋから油路ｕ１を介して第２クラッチＣ−２の油圧サーボ５２に供給される。従って、前進レンジで走行中にオールオフフェール状態に移行した場合は、第２クラッチＣ−２と第１ブレーキＢ−１とが係合して前進５速段が達成される。
【００９３】
その後、例えば運転者がエンジンを一旦停止すると、モジュレータ圧ＰＭＯＤが発生しなくなるので、クラッチコントロールバルブ３１のロック油室３１ｃのモジュレータ圧ＰＭＯＤがドレーンされて、該クラッチコントロールバルブ３１はスプリング３１ｓの付勢力によって左半位置に切換えられる。その後、例えば運転者が再度エンジンを始動し、シフトレンジを前進レンジに切換えると、油路ｂ５を介してクラッチコントロールバルブ３１の入力ポート３１ｅに入力される前進レンジ圧ＰＤが、出力ポート３１ｄから油路ｐ１に出力され、上述のようにＳＬＴ圧ＰＳＬＴで左半位置にされたシーケンスバルブ３２の入力ポート３２ｇ及び出力ポート３２ｈを通り、油路ｖ１を介して第１クラッチＣ−１の油圧サーボ５１に供給されて。該第１クラッチＣ−１が係合される。これにより、上述のようにライン圧ＰＬで係合される第１ブレーキＢ−１と相俟って、前進３速段を形成し、車両の再発進を可能として、前進の縮退走行の実行を可能とする。
【００９４】
また、例えば運転者がシフトレンジを前進レンジからニュートラルレンジにすると、前進レンジ圧ＰＤが発生しなくなるので、第１クラッチＣ−１が解放され、自動変速機２はニュートラル状態とされる。更に、例えば運転者がシフトレンジをニュートラルレンジから後進レンジにすると、後進レンジ圧ＰＲが、マニュアルバルブ２５から油路ｃ１，ｃ２，ｃ３，ｃ６を介してＢ−４コントロールバルブ３７の入力ポート３７ｅに入力され、出力ポート３７ｆから油路ｚ１，ｚ３、Ｂ１−Ｂ４アプライコントロールバルブ３５の入力ポート３５ｃ及び出力ポート３５ｄ、油路ｘ１、ソレノイドリレーバルブ２３の入力ポート２３ｄ及び出力ポート２３ｅ、油路ｔ１を介して、第４ブレーキＢ−４の油圧サーボ５６に供給され、該第４ブレーキＢ−４が係合される。これにより、上述のようにライン圧ＰＬで係合される第１ブレーキＢ−１と相俟って、後進段を形成し、後進の縮退走行の実行を可能とする。
【００９５】
［本発明のまとめ］
以上説明した本油圧制御装置１によると、ロックアップリレーバルブ２１が、ソレノイドリレーバルブ２３が左半位置で出力したモジュレータ圧ＰＭＯＤを入力して、ロックアップオフ位置（右半位置）にロックするロック油室２１ｂを有しているので、ソレノイドリレーバルブ２３が左半位置となって制御圧ＰＳＬＵを第４ブレーキＢ−４の油圧サーボ５６の係合圧ＰＢ４を制御する係合制御圧として出力する状態で、ロックアップリレーバルブ２１をロックアップオフ位置（右半位置）にロックすることができる。これにより、ロックアップクラッチ８をオフした状態（ロックアップ係合圧ＰＬ−ＵＰを遮断した状態）で、第４ブレーキＢ−４を係合自在に制御することができ、つまりリニアソレノイドバルブＳＬＵの高出力化による大型化を防止するものでありながら、リニアソレノイドバルブＳＬＵによってロックアップクラッチ８と第４ブレーキＢ−４との係合状態を個別に制御することを可能とすることができる。
【００９６】
また、第４ブレーキＢ−４は、最低変速段である前進１速段の状態、ニュートラル状態、後進段の状態の少なくとも１つの状態で係合制御されるので、つまりロックアップクラッチ８をオフした状態で係合制御される第４ブレーキＢ−４であるため、リニアソレノイドバルブＳＬＵによってロックアップクラッチ８と第４ブレーキＢ−４との係合状態を個別に制御することを可能とすることができる。
【００９７】
さらに、第４ブレーキＢ−４は、最低変速段である前進１速段のエンジンブレーキ時に、リニアソレノイドバルブＳＬＵの制御圧ＰＳＬＵに基づき係合圧ＰＢ４が制御されて係合されるので、つまりロックアップクラッチ８をオフした状態で係合制御される第４ブレーキＢ−４であるため、リニアソレノイドバルブＳＬＵによってロックアップクラッチ８と第４ブレーキＢ−４との係合状態を個別に制御することを可能とすることができる。
【００９８】
また、ソレノイドリレーバルブ２３は、ソレノイドバルブＳＬの非通電状態でモジュレータ圧ＰＭＯＤをロックアップリレーバルブ２１のロック油室２１ｂに供給するので、例えば全てのソレノイドバルブを非通電とするオールオフフェール時にあって、ロックアップクラッチ８をオフした状態にロックすることができ、例えばロックアップクラッチ８がオンされたままとなってエンジンをストップさせるようなことを防止することができる。
【００９９】
そして、ソレノイドリレーバルブ２３は、右半位置の際に、入力されたモジュレータ圧ＰＭＯＤをシーケンスバルブ３２の作動油室３２ｃに出力するので、ソレノイドリレーバルブ２３が左半位置の際に出力するモジュレータ圧ＰＭＯＤを、右半位置で無駄にすることなくシーケンスバルブ３２に供給することができ、シーケンスバルブ３２にモジュレータ圧ＰＭＯＤを導く油路を別途に設ける場合に比して、油路構造の簡易化を図ることができる。
【０１００】
［他の実施の形態の可能性］
なお、以上説明した本実施の形態においては、リニアソレノイドバルブＳＬＵの制御圧ＰＳＬＵをロックアップオフ状態で第４ブレーキＢ−４の係合制御やＢ１−Ｂ４アプライコントロールバルブ３５の切換え制御に用いたものを説明したが、これに限らず、ロックアップクラッチをオフした状態で制御される部位があれば、どのような部位に制御圧ＰＳＬＵを用いても構わない。
【０１０１】
また、以上説明した本実施の形態においては、前進６速段及び後進段を達成する自動変速機２に油圧制御装置１を適用したものを説明したが、これに限らず、例えば前進８速段及び後進段を達成する自動変速機など、ロックアップクラッチを有する自動変速機であれば、どのような自動変速機であっても本発明を適用し得る。
【０１０２】
また、以上説明した本実施の形態においては、ロックアップクラッチ８がトルクコンバータ７をロックアップするものを説明したが、トルクコンバータ７は、フルードカップリングなどの流体伝動装置であってもよく、ロックアップクラッチは流体伝動装置をロックアップするものであれば何でもよい。
【符号の説明】
【０１０３】
１    油圧制御装置
２    自動変速機
７    流体伝動装置（トルクコンバータ）
８    ロックアップクラッチ
２１    ロックアップ切換えバルブ（ロックアップリレーバルブ）
２１ａ    第１作動油室
２１ｂ    第１ロック油室
２１ｐ    第１スプール
２１ｓ    第１スプリング
２３    制御圧切換えバルブ（ソレノイドリレーバルブ）
２３ａ    第２作動油室
２３ｐ    第２スプール
２３ｓ    第２スプリング
３２    フェールセーフバルブ（シーケンスバルブ）
３２ｃ    第２ロック油室（作動油室）
５１    油圧サーボ
５２    油圧サーボ
５６    油圧サーボ
Ｂ−４    摩擦係合要素（第４ブレーキ）
Ｃ−１    他の摩擦係合要素（第１クラッチ）
Ｃ−２    他の摩擦係合要素（第２クラッチ）
Ｆ−３    ワンウェイクラッチ
ＰＢ４    係合圧
ＰＣ１    係合圧
ＰＣ２    係合圧
ＰＬ    ライン圧
ＰＭＯＤ    モジュレータ圧
ＰＬ−ＵＰ    ロックアップ係合圧
ＰＳＬ    信号圧
ＰＳＬＵ    制御圧
ＳＬ    信号ソレノイドバルブ（ソレノイドバルブ）
ＳＬＵ    ロックアップ制御ソレノイドバルブ（リニアソレノイドバルブ）
【図１】
2014119016.tif 000003
【図２】
2014119016.tif 000004
【図３】
2014119016.tif 000005